(57)【要約】【課題】表示装置などへの実装を考慮した液体デバイスの構造を提案する。【解決手段】液体デバイス２０は、透明でｘｙ平面に平行な下基板２１と上基板２２との間に、ｙ方向に延伸された複数のｙ方向隔壁２３と、ｘ方向に延伸されたｘ方向隔壁２５−１および２５−２が配置されて液室を成している。各ｙ方向隔壁２３の一方の壁面の全体には、隔壁側面電極２４Ａが設けられており、隔壁側面電極２４Ａの下端には、下基板２１上に設けられ、ｘ方向隔壁２５−１および２５−２の外側まで引き出された取出し電極２６ａが接続されている。同様に、各ｙ方向隔壁２３の他方の壁面の全体には、隔壁側面電極２４Ｂが設けられており、隔壁側面電極２４Ｂの下端には、下基板２１上に設けられ、ｘ方向隔壁２５−１および２５−２の外側まで引き出された取出し電極２６ｂが接続されている。本発明は、３次元表示装置に適用できる。【選択図】図２
2012032433.tif 000002
【特許請求の範囲】
【請求項１】
間隔を空けて互いに対向配置された第１および第２の基板と、
前記第１の基板と前記第２の基板との間に配置され、第１の方向に延在して配置された第１の隔壁と、
前記第１の基板と前記第２の基板との間に配置され、前記第１の方向とは異なる第２の方向に延在して配置された第２の隔壁と、
前記第２の隔壁の両側面にそれぞれ設けられた第１および第２の電極と、
前記第１および第２の隔壁により形成される液室に充填され、前記第１および第２の電極により印加される電圧に応じて境面が変化する液体と、
前記第１の基板と前記第２の隔壁の両側面との接線に沿って前記第１の基板上に配線され、前記第１の隔壁と前記第１の基板との接合部から外部に引き出された第１および第２の取出し電極と
を備え、
前記第１の電極は、前記第１の取出し電極に接続され、
前記第２の電極は、前記第２の取出し電極に接続されている
液体デバイス。
【請求項２】
前記第１または第２の取出し電極の一方は、前記液体デバイスの第２の方向の両端のうちの一端側から外部に引き出され、他方は、前記液体デバイスの第２の方向の両端のうちの他端側から外部に引き出されている
請求項１に記載の液体デバイス。
【請求項３】
前記第１の隔壁は、前記液体デバイスの第２の方向の両端に加えて、前記両端の間に少なくとも１つ以上配置されている
請求項２に記載の液体デバイス。
【請求項４】
前記第１の電極は、前記第２の隔壁の両側面のうちの一方の全体に設けられ、
前記第２の電極は、前記第２の隔壁の両側面のうちの他方の全体に設けられている
請求項２または３に記載の液体デバイス。
【請求項５】
前記第１の電極は、前記第２の隔壁の両側面のうちの一方の、前記第１の基板との前記接線の一部を含む無電極領域を除いて設けられ、
前記第２の電極は、前記第２の隔壁の両側面のうちの他方の、前記第１の基板との前記接線の一部を含む無電極領域を除いて設けられている
請求項２または３に記載の液体デバイス。
【請求項６】
前記液室に充填された前記液体の堺面は、前記第１および第２の電極により印加される電圧に応じて、凹曲面状、凸曲面状、または平面状に変化する
請求項２乃至５に記載の液体デバイス。
【請求項７】
画像表示を行う表示部と、
前記表示部の表示面側に対向配置される液体デバイスと、
前記液体デバイスに電力を供給する供給手段と
を備え、
前記液体デバイスは、
間隔を空けて互いに対向配置された第１および第２の基板と、
前記第１の基板と前記第２の基板との間に配置され、第１の方向に延在して配置された第１の隔壁と、
前記第１の基板と前記第２の基板との間に配置され、前記第１の方向とは異なる第２の方向に延在して配置された第２の隔壁と、
前記第２の隔壁の両側面にそれぞれ設けられた第１および第２の電極と、
前記第１および第２の隔壁により形成される液室に充填され、前記第１および第２の電極により印加される電圧に応じて境面が変化する液体と、
前記第１の基板と前記第２の隔壁の両側面との接線に沿って前記第１の基板上に配線され、前記第１の隔壁と前記第１の基板との接合部から外部に引き出された第１および第２の取出し電極と
を備え、
前記第１の電極は、前記第１の取出し電極に接続され、
前記第２の電極は、前記第２の取出し電極に接続されている
表示装置。
【発明の詳細な説明】
【技術分野】
【０００１】
本発明は、液体デバイス、および表示装置に関し、特に、例えば、３次元表示を実現するためのプリズム効果またはレンズ効果の発生を電気的に制御するようにした液体デバイス、および表示装置に関する。
【背景技術】
【０００２】
従来、観察者の左右の眼に視差を生じさせた視差画像を見せることにより立体視を実現する方法が知られており、観察者が立体視を実現するための専用メガネを用いる必要のある方法と専用メガネを必要としない方法が知られている。
【０００３】
専用メガネを必要とする方法は、例えば、映画館における上映設備やテレビジョン受像機に適用されている。専用メガネを必要としない方法は、テレビジョン受像機の他、例えば、スマートフォン、携帯電話機、携帯ゲーム機、ネットブックコンピュータなどのように、携帯可能な電子機器のディスプレイに適用されることが想定される。
【０００４】
専用メガネを必要としない方法の具体的な実現方法としては、液晶ディスプレイなどの２次元表示装置の画面上に、２次元表示装置からの表示画像光を複数の視野角方向に偏向させる３次元表示用の光学デバイスとを組み合わせたものを挙げることができる。
【０００５】
３次元表示用の光学デバイスとしては、複数のシリンドリカルレンズ（円筒レンズ）を並列配置したレンズアレイが知られている。例えば２眼式の立体視の場合、左右の眼に異なる視差画像を見せることにより観察者の視覚に対して立体感が得られる。よって、これを実現するため、２次元表示装置の表示面に対して、縦方向に延在するシリンドリカルレンズを横方向に複数並列配置し、２次元表示装置からの表示画像光を左右方向に偏向させ、左右の視差画像が適切に観察者の左右の眼に到達するようになされている。
【０００６】
シリンドリカルレンズの他には、電解液とオイルを用いた液体デバイス（例えば、特許文献１参照）、液晶を用いたレンズアレイ素子が知られている（例えば、特許文献２参照）。
【０００７】
液体デバイスは、導電性を有する液体と電極との間に電圧を印加することにより、液体の表面の形状が変化するエレクトロウェッティング現象（電気毛管現象）を利用したものである。
【０００８】
図１は、液体デバイスの構成の一例を示しており、同図は液体デバイスのｘｚ平面での断面図を示している。また、同図Ａは電圧を印加していない状態、同図Ｂは電圧を印加している状態を示している。
【０００９】
液体デバイス１０は、ｘｙ平面に平行な下基板１１と上基板１２とが対向配置され、下基板１１には、ｙ方向隔壁１３とｘ方向隔壁（不図示）とが配置され、ｙ方向隔壁１３と上基板１２との間にスペーサ１７が設けられている。上基板１２の下基板１１に対応する面には、透明電極１８が設けられている。ｙ方向隔壁１３の壁面には、その一方に隔壁側面電極１４Ａ、他方に隔壁側面電極１４Ｂが設けられている。ただし、液体デバイス１０の端のｙ方向隔壁１３（同図の場合、ｙ方向隔壁１３−０，１３−３）には、壁の一方のみに隔壁側面電極１４Ａまたは１４Ｂが設けられている。さらに、各ｙ方向隔壁１３と各ｘ方向隔壁とにより形成される各液室にはオイル１５および電解液１６が充填されている。なお、２次元表示装置の表示面は下基板１１の下方に配置されることになる。
【００１０】
オイル１５には、電解液１６と相溶せずにその境面が保持され、電解液１６よりも光の屈折率が高い素材を用いる。
【００１１】
そして、隔壁側面電極１４Ａ，１４Ｂと透明電極１８との間に電流を流さず、液体（オイル１５および電解液１６）に電圧を印加しない場合、オイル１５と電解液１６との境面は、同図Ａに示すように凹曲面状となる。
【００１２】
これに対して、隔壁側面電極１４Ａ，１４Ｂから電流を流して透明電極１８を接地することにより、液体（オイル１５および電解液１６）に所定の電圧を印加すると、例えば同図Ｂに示すように、オイル１５と電解液１６との境面は、例えば同図Ｂに示すように凸曲面状となる。なお、オイル１５と電解液１６との境面の形状は、印加する電圧によって制御することが可能とされている。
【先行技術文献】
【特許文献】
【００１３】
【特許文献１】特表２００７−５３４０１３号公報
【特許文献２】特開２００８−９３７０号公報
【発明の概要】
【発明が解決しようとする課題】
【００１４】
上述したように、従来から液体デバイスについては提案がなされているものの、特に、表示装置などへの実装が考慮された液体デバイスの電極構造については、その具体的な提案がなされていない。
【００１５】
本発明はこのような状況に鑑みてなされたものであり、表示装置などへの実装を考慮した液体デバイスの構造を提案するものである。
【課題を解決するための手段】
【００１６】
本発明の第１の側面である液体デバイスは、間隔を空けて互いに対向配置された第１および第２の基板と、前記第１の基板と前記第２の基板との間に配置され、第１の方向に延在して配置された第１の隔壁と、前記第１の基板と前記第２の基板との間に配置され、前記第１の方向とは異なる第２の方向に延在して配置された第２の隔壁と、前記第２の隔壁の両側面にそれぞれ設けられた第１および第２の電極と、前記第１および第２の隔壁により形成される液室に充填され、前記第１および第２の電極により印加される電圧に応じて境面が変化する液体と、前記第１の基板と前記第２の隔壁の両側面との接線に沿って前記第１の基板上に配線され、前記第１の隔壁と前記第１の基板との接合部から外部に引き出された第１および第２の取出し電極とを備え、前記第１の電極は、前記第１の取出し電極に接続され、前記第２の電極は、前記第２の取出し電極に接続されている。
【００１７】
前記第１または第２の取出し電極の一方は、前記液体デバイスの第２の方向の両端のうちの一端側から外部に引き出され、他方は、前記液体デバイスの第２の方向の両端のうちの他端側から外部に引き出されているようにすることができる。
【００１８】
前記第１の隔壁は、前記液体デバイスの第２の方向の両端に加えて、前記両端の間に少なくとも１つ以上配置されているようにすることができる。
【００１９】
前記第１の電極は、前記第２の隔壁の両側面のうちの一方の全体に設けられ、前記第２の電極は、前記第２の隔壁の両側面のうちの他方の全体に設けられているようにすることができる。
【００２０】
前記第１の電極は、前記第２の隔壁の両側面のうちの一方の、前記第１の基板との前記接線の一部を含む無電極領域を除いて設けられ、前記第２の電極は、前記第２の隔壁の両側面のうちの他方の、前記第１の基板との前記接線の一部を含む無電極領域を除いて設けられているようにすることができる。
【００２１】
前記液室に充填された前記液体の堺面は、前記第１および第２の電極により印加される電圧に応じて、凹曲面状、凸曲面状、または平面状に変化するようにすることができる。
【００２２】
本発明の第２の側面である表示装置は、画像表示を行う表示部と、前記表示部の表示面側に対向配置される液体デバイスと、前記液体デバイスに電力を供給する供給手段とを備え、前記液体デバイスは、間隔を空けて互いに対向配置された第１および第２の基板と、前記第１の基板と前記第２の基板との間に配置され、第１の方向に延在して配置された第１の隔壁と、前記第１の基板と前記第２の基板との間に配置され、前記第１の方向とは異なる第２の方向に延在して配置された第２の隔壁と、前記第２の隔壁の両側面にそれぞれ設けられた第１および第２の電極と、前記第１および第２の隔壁により形成される液室に充填され、前記第１および第２の電極により印加される電圧に応じて境面が変化する液体と、前記第１の基板と前記第２の隔壁の両側面との接線に沿って前記第１の基板上に配線され、前記第１の隔壁と前記第１の基板との接合部から外部に引き出された第１および第２の取出し電極とを備え、前記第１の電極は、前記第１の取出し電極に接続され、前記第２の電極は、前記第２の取出し電極に接続されている。
【００２３】
本発明の第１および第２の側面においては、第１および第２の隔壁により形成される液室に充填された液体の境面が、印加される電圧に応じて変化される。
【発明の効果】
【００２４】
本発明の第１の側面によれば、表示装置などへの実装を考慮した液体デバイスの構造を提案することができる。
【００２５】
また、本発明の第１の側面によれば、液体デバイスを液体レンズ、液体プリズム、または液体フレネルレンズとして機能させることができる。
【００２６】
本発明の第２の側面によれば、液体デバイスによる液体レンズ、液体プリズム、または液体フレネルレンズを介して画像を表示することができる。
【図面の簡単な説明】
【００２７】
【図１】従来の液体デバイスの構成の一例を示す断面図である。
【図２】第１の実施の形態である液体デバイス２０の構成例を示す斜視図である。
【図３】液体デバイス２０のｘｚ平面断面図である。
【図４】取出し電極の他の構造例を示すためのｘｚ平面断面図である。
【図５】液体デバイス２０のｘｚ平面の断面図である。
【図６】第２の実施の形態である液体デバイス４０の構成例を示す斜視図である。
【図７】第３の実施の形態である液体デバイス５０の構成例を示す斜視図である。
【図８】液室の応答時間を説明するための図である。
【図９】液室のサイズと応答時間との関係を示す図である。
【図１０】取出し電極２６の構造を示すｘｙ平面断面図である。
【発明を実施するための形態】
【００２８】
以下、発明を実施するための最良の形態（以下、実施の形態と称する）について、図面を参照しながら詳細に説明する。
【００２９】
＜１．第１の実施の形態＞
［液体デバイス２０の構成例］
本発明の第１の実施の形態である液体デバイス２０について、図２および図３を参照して説明する。図２は液体デバイス２０の部分的な斜視図であり、図３は、液体デバイス２０のｘｚ平面での断面図である。
【００３０】
この液体デバイス２０は、２次元表示装置の表示面上に対向配置され、液体レンズ、液体プリズム、または液体として機能するものである。
【００３１】
液体デバイス２０は、透明なガラスまたはプラスチックなどから成るｘｙ平面に平行な下基板２１と上基板２２とが対向配置され、下基板２１には、ｙ方向に延伸された複数のｙ方向隔壁２３と、ｘ方向に延伸されたｘ方向隔壁２５−１および２５−２が配置されている。上基板２２の下基板２１に対応する面には、透明電極２８が設けられている。ｘ方向隔壁２５には、上基板２２との間隔を保持するためのスペーサ２７が設けられている。そして、各ｙ方向隔壁と各ｘ方向隔壁２５とにより液室が形成されている。なお、スペーサ２７の位置や数は任意であり、図示する実施の形態に限るものではない。また、スペーサ２７の形状についても、図示されているような直方体に限定されるものではなく、例えば球状としてもよい。さらに、スペーサ２７を上基板２２側に設けるようにしてもよい。またさらに、スペーサ２７は、ｘ方向隔壁２５、または上基板２２と一体化していてもよい。
【００３２】
各ｙ方向隔壁２３の一方の壁面の全体には、隔壁側面電極２４Ａが成膜されており、隔壁側面電極２４Ａの下端（下基板２１側）には、下基板２１上に設けられ、ｘ方向隔壁２５−１および２５−２の外側まで引き出された取出し電極２６ａが接続されている。同様に、各ｙ方向隔壁２３の他方の壁面の全体には、隔壁側面電極２４Ｂが成膜されており、隔壁側面電極２４Ｂの下端（下基板２１側）には、下基板２１上に設けられ、ｘ方向隔壁２５−１および２５−２の外側まで引き出された取出し電極２６ｂが接続されている。なお、当然ながら、上基板２２の透明電極２８にも取出し電極（不図示）が接続されている。
【００３３】
このように、ｘ方向隔壁２５−１および２５−２の外側に取出し電極２６ａおよび２６ｂを設けることにより、液体デバイス１０の外部から液室内の液体に印加する電圧を制御することができる。
【００３４】
なお、取出し電極２６ａおよび２６ｂについては、図４に示されるように、ｙ方向隔壁２３に対して潜り込む構造としてもよい。これにより、隔壁側電極２４と取出し電極２６との導通性をより確実なものにすることができる。ただし、電極、隔壁、下基板の材質によってはこれら接着面の密着性が低下してしまう場合があり、その場合には、図４に示された構造よりも図３に示された構造の方が好ましいことがある。
【００３５】
各液室には、オイル３１および電解液３２が充填されている。オイル３１には、電解液３２と相溶せずにその境面が保持され、電解液３２よりも光の屈折率が高い素材を用いる。
【００３６】
なお、下基板２１の液室面には、絶縁性および撥水性を有するためのコーディング処理が施されている。上基板２２に設けられた透明電極２８には、絶縁性および親水性を有するためのコーディング処理が施されている。ｙ方向隔壁２３の壁面に設けられた隔壁側面電極２４Ａおよび２４Ｂ、並びにｘ方向隔壁２５の液室面には、絶縁性および親水性を有するためのコーディング処理が施されている。このようなコーティング処理を行うことにより、液体（オイル３１と電解液３２）が電圧の印加によって移動しても、液室外に隔壁外に漏れ出さないようになされている。さらに、液体デバイス２０の外周を構成するｙ方向隔壁２３とｘ方向隔壁２５とのつなぎ目にはシール材が塗布されており、これにより、液体が、液体デバイス２０から漏れ出さないようになされている。
【００３７】
［動作説明］
次に、液体デバイス２０の動作について、図５を参照して説明する。図５は、液体デバイス２０のｘｚ平面での断面を示している。
【００３８】
液体デバイス２０においては、液体（オイル３１および電解液３２）に電圧が印加されていない場合、オイル３１と電解液３２との境面は、同図Ａに示すように凹曲面状となる。
【００３９】
そして、各液室の液体に電圧を印加することにより、各液室の境面を制御することができる。具体的には、各液室の液体に同一の電圧を印加して、同図Ｂに示すように、各液室の境面を同一角度の平面に制御したり、各液室に対して個々に異なる電圧を印加して、例えば同図Ｃに示すように、各液室の境面の角度を個別に制御したりすることができる。
【００４０】
これにより、液体デバイス２０の各液室を液体レンズ、または液体プリズムとして機能させたり、複数の液室によりを液体フレネルレンズとして機能させたりすることができる。
【００４１】
ところで、図５Ａに示されたように、電圧が印加されていない場合、液体の境面は凹曲面状となるが、これはｙｚ平面についても同様である。ただし、液室のｙｚ平面におけるｙ方向の幅はｘｚ平面におけるｘ方向の幅よりも長いので、ｙｚ平面における境面の凹状態（最下端が下がる状態）がより顕著となる。この場合、液体に印加する電圧を素早く連続的に切り替えて境面の形状を変化させると、境面（すなわち、電解液３２の最下層）が下基板２１に付いたまま離れなくなってしまう不具合が起こり得るので、このような不具合の発生を抑止する構造が必要となる。
【００４２】
＜２．第２の実施の形態＞
［液体デバイス４０の構成例］
図６は、本発明の第２の実施の形態である液体デバイス４０の斜視図である。この液体デバイス４０は、上述した不具合の発生を抑止する構造を有している。なお、図２の液体デバイス２０と共通する構成要素については同一の番号を付しているので、その説明は省略する。
【００４３】
液体デバイス４０は、図２に示された液体デバイス２０のようにｙ方向隔壁２３の側面の全体に隔壁側面電極２４Ａおよび２４Ｂを設けるのではなく、図示するように、ｙ方向隔壁２３の側面下部に無電極領域４１を空けて隔壁側面電極２４Ａおよび２４Ｂが成膜されている。したがって、隔壁側面電極２４Ａおよび２４Ｂは、それぞれ取出し電極２６ａまたは取出し電極２６ｂとｘ方向隔壁２５−１および２５−２に近い位置でのみ接続される。
【００４４】
なお、上述したように、ｙ方向隔壁２３の壁面に設けられた隔壁側面電極２４Ａおよび２４Ｂには、絶縁性および親水性を有するためのコーディング処理が施されているが、無電極領域４１には、絶縁性および撥水性を有するためのコーディング処理が施されている。
【００４５】
これにより、オイル３１および電解液３２の境面が下基板２１側に下がってきても、無電極領域４１の撥水性によって、上述した不具合の発生が抑止される。
【００４６】
＜３．第３の実施の形態＞
［液体デバイス５０の構成例］
図７は、本発明の第３の実施の形態である液体デバイス５０の斜視図である。この液体デバイス５０も、上述した不具合の発生を抑止する構造を有している。なお、図２の液体デバイス２０と共通する構成要素については同一の番号を付しているので、その説明は省略する。
【００４７】
液体デバイス５０は、図２に示された液体デバイス２０に対して、ｘ方向隔壁５１を追加したものである。なお、追加するｘ方向隔壁５１の数は１本以上であってもよい。ｘ方向隔壁５１を追加したことにより、各液室のｙ方向の幅が液体デバイス２０に比較して短くなる。したがって、液室のｙｚ平面における境面の凹状態は、液体デバイス２０よりも緩和されるので、上述した不具合の発生が抑止される。
【００４８】
＜４．変形例＞
なお、液体デバイス５０のようにｘ方向隔壁５１を追加し、さらに、液体デバイス４０のように、ｙ方向隔壁２３の側面下部に無電極領域４１を空けるようにしてもよい。
【００４９】
＜５．液体デバイスのサイズ＞
次に、液体デバイスの２０，４０，５０の具体的なサイズについて説明するが、その前に、各液室の応答時間について説明する。
【００５０】
例えば、各液室の境面を図８Ａに示す状態から図８Ｂに示す状態に遷移させた場合、この遷移に要する応答時間を液体デバイスの様々なサイズについてシミュレーションを行うと、図９に示す結果が得られる。なお、このシミュレーションには、流体シミュレーションVOF法を用いた。
【００５１】
図９の横軸は、液室のｘｚ断面の１辺の幅を示し、縦軸は応答時間を示している。また、複数の縦線は、２液室を１画素に対応付けた場合の様々なディスプレイサイズに対応している。
【００５２】
例えば、液室のｘｚ断面の１辺の幅が0.5mmである場合の応答時間は６ミリ秒程であり、液室のｘｚ断面の１辺の幅が１mmである場合の応答時間は約１５ms程である。すなわち、同図に示すように、液室のサイズが小さいほど応答時間は短く、液室のサイズが大きくなると応答時間が長くなっていることがわかる。
【００５３】
ところで、液体デバイスを３次元表示のためのレンズとして用いるためには１ms以下の応答時間が要求される。しかしながら、その場合、液室のｘｚ断面の１辺の幅を0.１mm以下とする必要があるので、図９のように２液室を１画素に対応付けたままであると、３インチ程度の非常に小さなディスプレイにしか対応できないことになる。
【００５４】
そこで、液室のｘｚ断面の１辺の幅を0.１mmとして、複数の液室をディスプレイの１画素に対応付ければ、高速応答性が確保した上で、より大きいサイズのディスプレイに対応することが可能となる。
【００５５】
なお、各液室を境面の角度が異なるプリズムとして動作させるためには、各液室の液体に印加する電圧を正確に制御する必要があり、このためには、隔壁側面電極２４Ａが接続される取出し電極２６ａ、および隔壁側面電極２４Ｂが接続される取出し電極２６ｂの配線構造についても工夫が重要となる。
【００５６】
図１０は、取出し電極２６ａおよび２６ｂの提案する電極構造を示している。なお、図１０は、液体デバイスのｘｙ平面での断面を示している。
【００５７】
同図に示すように、取出し電極２６ａおよび２６ｂを左右に分散して配線する。すなわち、取出し電極２６ａはｘ方向隔壁２５−１側から引き出し、取出し電極２６ｂはｘ方向隔壁２５−２側から引き出すようにする。引き出された取出し電極２６ａおよび２６ｂはフレキシブル電極などの熱圧着などにより、多線配線が可能でなる。このような配線構造とすることにより、取出し電極２６ａ，２６ｂに流す電流を微細に制御することができ、各液室の液体に印加する電圧を正確に制御することが可能となる。従って、液体デバイスの各液室を液体レンズまたは液体プリズムとして機能させることができる。
【００５８】
なお、本実施の形態の各液体デバイスは、３次元表示の他、視野角や照射角の拡大、視点数の増加を目的として表示装置あるいは照射装置などに適用することができる。
【００５９】
本発明の実施の形態は、上述した実施の形態に限定されるものではなく、本発明の要旨を逸脱しない範囲において種々の変更が可能である。
【符号の説明】
【００６０】
２０  液体デバイス,  ２１  下基板，  ２２  上基板，  ２３  ｙ方向隔壁，  ２４  隔壁側面電極，  ２５  ｘ方向隔壁，  ２６  取出し電極，  ２７  スペーサ，  ２８  透明電極，  ３１  オイル，  ３２  電解液，  ４０  液体デバイス，  ４１  無電極領域，  ５０  液体デバイス，  ５１  ｘ方向隔壁
【図１】
2012032433.tif 000003
【図２】
2012032433.tif 000004
【図３】
2012032433.tif 000005
【図４】
2012032433.tif 000006
【図５】
2012032433.tif 000007
【図６】
2012032433.tif 000008
【図７】
2012032433.tif 000009
【図８】
2012032433.tif 000010
【図９】
2012032433.tif 000011
【図１０】
2012032433.tif 000012